(57)【要約】【課題】サーバーから該当する識別記号のＨＴＭＬ情報を取得する情報システム、情報システム制御方法、情報端末装置及びそのプログラムを提供する。【解決手段】情報端末装置１０１にあらかじめ割り当てられたグループ識別記号毎に異なるＨＴＭＬ情報を取得し表示が可能なことから、スーパーの特売情報や学校のお知らせといった地域毎に地域に密着したサービスを提供することができる。【選択図】図２
2006227779.tif 000002
【特許請求の範囲】
【請求項１】
ＨＴＭＬ情報を処理可能なＨＴＭＬ処理手段と、外部通信網とのネットワーク接続を可能とする外部通信手段と、前記ＨＴＭＬ処理手段と前記外部通信手段とを制御する制御手段と、表示手段を有し、グループ識別記号毎にパーテーションで区切られている１または複数のサーバー内のＨＴＭＬ情報の内、情報端末装置にあらかじめ割り当てられたグループ識別記号に該当するパーテーションからのみＨＴＭＬ情報を取得し、前記表示手段で表示可能とする情報端末装置。
【請求項２】
前記情報端末装置は記憶手段を備え、前記制御手段が最新のＨＴＭＬ情報の取得を行う場合、前記制御手段は現在表示中のＨＴＭＬ情報を前記記憶手段に保存し、前記ＨＴＭＬ処理手段がサーバーから最新のＨＴＭＬ情報の取得に失敗したとき、その失敗数をカウントし、失敗数が所定回数以上に達した場合は、前記制御手段は前記記憶手段から保存したＨＴＭＬ情報を読み出し、表示手段に前回表示していたＨＴＭＬ情報を表示することを特徴とした請求項１に記載の情報端末装置。
【請求項３】
外部通信網とのネットワーク接続を可能とする外部通信手順と、グループ識別記号毎にパーテーションで区切られている１または複数のサーバー内のＨＴＭＬ情報の内、情報端末装置にあらかじめ割り当てられたグループ識別記号に該当するパーテーションからのみＨＴＭＬ情報の取得を行う手順と、取得したＨＴＭＬ情報の処理を行うＨＴＭＬ処理手順と、前記表示手段に前記処理したＨＴＭＬ情報を表示させる表示手順とを備えた情報システム制御方法。
【請求項４】
前記情報端末装置は記憶手段を備え、前記制御手段が最新のＨＴＭＬ情報の取得を行う場合、現在表示中のＨＴＭＬ情報を前記記憶手段に保存する手順と、サーバーから最新のＨＴＭＬ情報の取得に失敗したとき失敗数をカウントする手順と、サーバーから最新のＨＴＭＬ情報の取得の失敗数が所定回数以上に達したとき、前記制御手段は前記記憶手段から保存したＨＴＭＬ情報を読み出す手順と、表示手段に前回表示していたＨＴＭＬ情報を表示する手順とを備えた請求項３に記載の情報システム制御方法。
【請求項５】
請求項第１または２のいずれか１項の情報端末装置の少なくとも一部をコンピュータに実現させるためのプログラム。
【発明の詳細な説明】
【技術分野】
【０００１】
本発明は、ＨＴＭＬ文書を処理可能な情報端末装置で、前記情報端末装置のＨＴＭＬ文書の更新に関する、情報システム制御方法、情報端末装置及びそのプログラムに関するものである。
【背景技術】
【０００２】
従来、この種の情報システムは、室外機と複数の室内機と、運転停止や温度設定の表示及び操作が可能であるリモコンとを有する空気調和機システムにおいて、広告情報をダウンロードし、前記リモコンで広告情報を表示することができるようになっている（例えば特許文献１参照）。
【０００３】
図４は、特許文献１に記載された従来の情報システムの構成図を示すものである。図４に示すように、室外機と複数の室内機と、運転停止や温度設定の表示及び操作が可能であるリモコン４０２を有する空気調和機システムにおいて、リモコン４０２と接続されＨＴＭＬデータの受信が可能である空調集中管理ＰＣ４０３と、空調集中管理ＰＣ４０３とインターネット４０４を介して接続されデータベース化された広告情報を有した管理センター４０１とを備え、空調集中管理装置４０３に広告情報をダウンロードし、リモコン４０２に表示することができるようになっている。
【特許文献１】特開２００２−１１５８９２号公報
【発明の開示】
【発明が解決しようとする課題】
【０００４】
しかしながら、前記従来の構成では、企業の広告情報を空調集中管理装置を介してリモコンへ配信され表示することができるが、広告情報の更新方法については十分考慮されていないという課題があった。
【０００５】
本発明は、前記従来の課題を解決するもので、同じ情報更新制御を搭載している情報端末装置が複数台ネットワークに存在していても、端末または端末の集合体毎に異なるＨＴＭＬ情報を取得し、表示手段に表示させる情報端末装置やその制御方法を提供することを目的とする。
【課題を解決するための手段】
【０００６】
前記従来の課題を解決するために、本発明は、外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、前記ＨＴＭＬ処理手段と前記外部通信手段とを制御する制御手段と表示手段を有し、グループ識別記号毎にパーテーションで区切られている１または複数のサーバー内のＨＴＭＬ情報の内、前記情報端末装置にあらかじめ割り当てられたグループ識別記号に該当するパーテーションからのみＨＴＭＬ情報を取得し、前記表示手段で表示可能とすることを特徴としたものである。
【０００７】
これによって、同じ情報更新制御機能を搭載している情報端末装置が複数台ネットワークに存在していても、端末または端末の集合体毎に異なるＨＴＭＬ情報を取得し、表示手段に表示させることができる。
【発明の効果】
【０００８】
本発明の情報システム制御方法、情報端末装置及びそのプログラムは、同じ情報更新制御機能を搭載している情報端末装置が複数台ネットワークに存在していても、端末または端末の集合体毎に異なるＨＴＭＬ情報を取得し、表示手段に表示させることから、例えばネットワークに参加している広告会社がマンションの様な集合住宅においてそれぞれのマンションに異なる広告表示や画面更新を行うことが可能である。
【０００９】
また、スーパーの特売情報や子供が通学している学校からのお知らせなどもマンション毎にまたは学校区内のマンションには全てといった様なＨＴＭＬ情報の配信も可能となり、地域毎に地域に密着したサービスを提供することができる。
【発明を実施するための最良の形態】
【００１０】
第１の発明は、ＨＴＭＬ情報を処理可能なＨＴＭＬ処理手段と、外部通信網とのネットワーク接続を可能とする外部通信手段と、前記ＨＴＭＬ処理手段と前記外部通信手段を制御する制御手段と、表示手段を有し、グループ識別記号毎にパーテーションで区切られている１または複数のサーバー内のＨＴＭＬ情報の内、前記情報端末装置にあらかじめ割り当てられたグループ識別記号に該当するパーテーションからのみＨＴＭＬ情報を取得し、前記表示手段で表示可能とする情報端末装置であることを特徴とする。
【００１１】
これによって、例えばネットワークに参加している広告会社がマンションの様な集合住宅においてそれぞれのマンションに異なる広告表示や画面更新を行うことが可能である。また、例えばスーパーの特売情報や子供が通学している学校からのお知らせなどもマンション毎にまたは学校区内のマンションには全てといった様なＨＴＭＬ情報の配信も可能となることから、地域毎に地域に密着したサービスを提供することができる。
【００１２】
第２の発明は、特に、第１の発明の情報端末装置において、前記情報端末装置は記憶手段を備え、前記制御手段が最新のＨＴＭＬ情報の取得を行う場合、前記制御手段は現在表示中のＨＴＭＬ情報を前記記憶手段に保存し、前記ＨＴＭＬ処理手段がサーバーから最新のＨＴＭＬ情報の取得に失敗したとき、その失敗数をカウントし、失敗数が所定回数以上に達した場合は、前記制御手段は前記記憶手段から保存したＨＴＭＬ情報を読み出し、表示手段に前回表示していたＨＴＭＬ情報を表示することを特徴とする。
【００１３】
そして、ＨＴＭＬ情報の取得前に記憶部へ表示中のＨＴＭＬ情報を待避させていることから、ＨＴＭＬ情報の取得に失敗した場合も使用者に全く動作しない画面を表示してしまうことがなくなり、サービスを提供し続けることが可能となる。
【００１４】
第３の発明は、外部通信網とのネットワーク接続を可能とする外部通信手順と、グループ識別記号毎にパーテーションで区切られている１または複数のサーバー内のＨＴＭＬ情報の内、前記情報端末装置にあらかじめ割り当てられたグループ識別記号に該当するパーテーションからのみＨＴＭＬ情報を取得を行う手順と、取得したＨＴＭＬ情報の処理を行うＨＴＭＬ処理手順と、前記表示手段に前記処理したＨＴＭＬ情報を表示させる表示手順とを備えた情報システム制御方法であることを特徴とする。
【００１５】
これによって、例えばネットワークに参加している広告会社がマンションの様な集合住宅においてそれぞれのマンションに異なる広告表示や画面更新を行うことが可能である。また、例えばスーパーの特売情報や子供が通学している学校からのお知らせなどもマンション毎にまたは学校区内のマンションには全てといった様なＨＴＭＬ情報の配信も可能となることから、地域毎に地域に密着したサービスを提供することができる。
【００１６】
第４の発明は、特に、第３の発明の情報システム制御方法において、前記情報端末装置は記憶手段を備え、前記制御手段が最新のＨＴＭＬ情報の取得を行う場合、現在表示中のＨＴＭＬ情報を前記記憶手段に保存する手順と、サーバーから最新のＨＴＭＬ情報の取得に失敗したとき失敗数をカウントする手順と、サーバーから最新のＨＴＭＬ情報の取得の失敗数が所定回数以上に達したとき、前記制御手段は前記記憶手段から保存したＨＴＭＬ情報を読み出す手順と、表示手段に前回表示していたＨＴＭＬ情報を表示する手順とを備えることを特徴とする。
【００１７】
そして、ＨＴＭＬ情報の取得前に記憶部へ表示中のＨＴＭＬ情報を待避させていることから、ＨＴＭＬ情報の取得に失敗した場合も使用者に全く動作しない画面を表示してしまうことがなくなり、サービスを提供し続けることが可能となる。
【００１８】
第５の発明は、特に、第１または２で発明のいずれか１項の情報端末装置の機能の少なくとも一部をコンピュータに実現させるためのプログラムである。そして、プログラムであるので、電気・情報機器、コンピュータ、サーバー等のハードリソースを協働させて本発明の情報端末装置の少なくとも一部を容易に実現することができる。また記録媒体に記録したり通信回線を用いてプログラムを配信したりすることでプログラムの配布・更新やインストール作業が簡単にできる。
【００１９】
以下本発明の実施の形態について、図面を参照しながら説明する。なお、この実施の形態によって本発明が限定されるものではない。
【００２０】
（実施の形態１）
図１は本発明の第１の実施の形態における情報システムの構成図、図２は本発明の第１の実施の形態における情報端末装置のブロック図を示すものであるである。
【００２１】
図１において、情報端末装置１０１は、各家庭１００に設置される冷蔵庫１０２、エアコン１０３等の家電機器と人感センサ１０５や開閉センサ１０６等のセンサ機器とガス給湯器１０４を宅内通信回線によって接続し、それら機器の制御を行う構成になっている。宅内通信回線は無線ＬＡＮ、Ｂｌｕｅｔｏｏｔｈ（登録商標）または特定小電力無線など無線を媒体として利用することも可能で、その場合、情報端末装置１０１、家電機器、センサ機器それぞれは無線通信ユニットを装着する必要がある。
【００２２】
情報端末装置１０１は、外部通信網１０７を介してサーバー１０８と接続されている。外部通信網１０７は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信処理装置、回線接続手段を介して直接にセンターサーバ装置にＡＤＳＬ接続することもできるものである。さらに、通信機器の送受信の接続回線網はＦＴＴＨのような光ファイバー網でもよい。
【００２３】
また、情報端末装置１０１と接続される機器は、その他温水利用システム、ガスメータ、電力メータ、水道メータ等の設備機器でもよい。
【００２４】
以上のように構成された情報システムについて、以下その動作、作用を説明する。
【００２５】
図２において、情報端末装置１０１は、ＨＴＭＬ処理手段２０４を備えており、制御手段２０２は外部通信手段２０３、外部通信網１０７、サーバー１０８を介してＨＴＭＬ情報の取得を行う。
【００２６】
次に、サーバーでのＨＴＭＬ情報の管理方法について説明する。
【００２７】
サーバー内の構成は、ＨＴＭＬ情報の配信先の情報端末装置単位、または情報端末装置が複数存在する集合住宅単位、学校や病院なども含めた地域単位毎にある識別記号（グループ識別記号）を割り当て、その識別記号毎にパーテーションで区切られている。そのパーテーション毎にバージョンアップさせたいＨＴＭＬ情報を保管しておく。
【００２８】
この様な管理方法によって、例えばＨＴＭＬ情報のファイルの名称に同じ名称を使用していた場合もＨＴＭＬ情報を差別化することが可能となり、情報端末装置単位、集合住宅単位、または地域単位で異なったサービスを提供し、サービス性を高めることができる。
【００２９】
情報端末装置においては、差別化したサービスを情報端末装置毎に実施する場合も、情報端末装置に予めグループ識別記号を保有させておけば、サービス内容毎にＨＴＭＬ情報のファイルの名称をそれぞれの情報端末装置毎に割り付ける必要がなくなり、ＨＴＭＬ情報取得及び表示処理のプログラムを共通化することができ、情報端末装置の開発効率を高めることができる。
【００３０】
ＨＴＭＬ情報取得の際、制御手段２０２は現在表示中のＨＴＭＬ情報を記憶手段２０５に保存する。次にサーバーからＨＴＭＬ情報を取得するときに、制御手段２０２はサーバー内に存在している１または複数のＨＴＭＬ情報の内、自身が保有しているグループ識別記号と同じパーテーションから最新のＨＴＭＬ情報の取得を開始する。制御手段２０２はＨＴＭＬ情報を取得すると、ＨＴＭＬ処理手段２０４へ受信したＨＴＭＬ情報を転送する。
【００３１】
ＨＴＭＬ処理手段２０４は制御手段２０２から受信したＨＴＭＬ情報を表示手段２０１に表示できるように解析し、ＨＴＭＬ情報の解析が完了すると制御手段２０２にＨＴＭＬ情報を表示データとして転送し、制御手段２０２は表示手段２０１へ転送する。表示手段２０１は受信した表示データを表示する。
【００３２】
また、制御手段２０２はサーバーからＨＴＭＬ情報の取得に失敗した場合、その失敗した回数をカウントする。失敗した回数が所定の回数以内であれば、制御手段２０２はＨＴＭＬ情報の取得に成功するまでサーバーへのアクセスを繰り返す。ＨＴＭＬ情報の取得に失敗した回数が所定の回数を越えた場合、制御手段２０２はサーバーへＨＴＭＬ情報を取得するときに記憶手段２０５へ保存しておいたＨＴＭＬ情報を読み出し、ＨＴＭＬ処理手段２０４へその読み出したＨＴＭＬ情報を転送し、表示手段に表示させる。
【００３３】
図３は本実施の形態の情報システムの情報端末装置１０１の動作を説明するためのフローチャートである。
【００３４】
制御手段２０２は最新のＨＴＭＬ情報を取得するとき、初めに現在表示中のＨＴＭＬ情報を記憶手段２０５に保存する（ＳＴＥＰ１）。次に制御手段２０２は外部通信手段２０３を起動し、外部通信網１０７を介してサーバー１０８から最新のＨＴＭＬ情報の取得を開始する（ＳＴＥＰ２）。
【００３５】
このとき、制御手段２０２はあらかじめ割り当てられたグループ識別記号を用いて、サーバー内のＨＴＭＬ情報のうち自身のグループ識別記号に該当するパーテーションからのみＨＴＭＬ情報を取得する（ＳＴＥＰ３）。
【００３６】
次に、最新のＨＴＭＬ情報のダウンロードが完了しているかを確認し（ＳＴＥＰ４）、正常にダウンロードが完了していれば（ＳＴＥＰ４、Ｙｅｓ）制御手段２０２はＨＴＭＬ情報をＨＴＭＬ処理手段２０４に転送し、ＨＴＭＬ処理手段２０４は表示手段２０１に表示できるようにＨＴＭＬ情報を解析する（ＳＴＥＰ５）。ＨＴＭＬ情報の解析が完了すると制御手段２０２にＨＴＭＬ情報を表示データとして転送し制御手段２０２は表示手段２０１にさらに転送し、ＨＴＭＬ情報を表示する（ＳＴＥＰ６）。
【００３７】
最新のＨＴＭＬ情報のダウンロードを開始し、正常にダウンロードが完了しなかった場合（ＳＴＥＰ４、Ｎｏ）、そのダウンロードは失敗とし、失敗した回数をカウントする（ＳＴＥＰ７）。この時、制御手段２０２はＨＴＭＬ情報の取得を再度実行するが、失敗した回数が所定の回数以下であるかを確認し（ＳＴＥＰ８）、失敗した回数が所定の回数以下であった場合（ＳＴＥＰ８、Ｙｅｓ）、制御手段２０２は再度、外部通信手段２０３を起動し、外部通信網１０７を介してサーバー１０８から最新のＨＴＭＬ情報の取得を開始する（ＳＴＥＰ１２）。
【００３８】
次に、最新のＨＴＭＬ情報のダウンロードが完了しているかを確認し（ＳＴＥＰ１３）、正常にダウンロードが完了していれば（ＳＴＥＰ１３、Ｙｅｓ）制御手段２０２はＨＴＭＬ情報をＨＴＭＬ処理手段２０４に転送し、ＨＴＭＬ処理手段２０４は表示手段２０１に表示できるようにＨＴＭＬ情報を解析する（ＳＴＥＰ１４）。ＨＴＭＬ情報の解析が完了すると制御手段２０２にＨＴＭＬ情報を表示データとして転送し制御手段２０２は表示手段２０１にさらに転送し、ＨＴＭＬ情報を表示する（ＳＴＥＰ１５）。
【００３９】
制御手段２０２はＨＴＭＬ情報の取得を再度実行し、正常にダウンロードが完了しなかった場合（ＳＴＥＰ１３、Ｎｏ）、そのダウンロードは失敗とし、再度失敗した回数をカウントする（ＳＴＥＰ７）。次に、失敗した回数が所定の回数以下であるかを確認し（ＳＴＥＰ８）、失敗した回数が所定の回数以下でなかった場合（ＳＴＥＰ８、Ｎｏ）、制御手段は最新のＨＴＭＬ情報の取得前に記憶手段２０５に保存したＨＴＭＬ情報を読み出し、ＨＴＭＬ情報をＨＴＭＬ処理手段２０４に転送し、ＨＴＭＬ処理手段２０４は表示手段２０１に表示できるようにＨＴＭＬ情報を解析する（ＳＴＥＰ１０）。
【００４０】
ＨＴＭＬ情報の解析が完了すると制御手段２０２にＨＴＭＬ情報を表示データとして転送し制御手段２０２は表示手段２０１にさらに転送し、ＨＴＭＬ情報を表示する（ＳＴＥＰ１１）。
【００４１】
以上のように、本実施の形態においては、ＨＴＭＬ情報を処理可能なＨＴＭＬ処理手段２０４と、外部通信網１０７とのネットワーク接続を可能とする外部通信手段２０３と、ＨＴＭＬ処理手段２０４、外部通信手段２０３を制御する制御手段２０２と表示手段２０１を有し、グループ識別記号毎にパーテーションで区切られている１または複数のサーバー内のＨＴＭＬ情報の内、情報端末装置１０１にあらかじめ割り当てられたグループ識別記号に該当するパーテーションからのみＨＴＭＬ情報を取得し、表示手段２０１で表示可能とする情報端末装置であることを特徴とする。
【００４２】
例えばネットワークに参加している広告会社がマンションの様な集合住宅においてそれぞれのマンションに異なる広告表示や画面更新を行うことが可能である。また、スーパーの特売情報や子供が通学している学校からのお知らせなどもマンション毎にまたは学校区内のマンションには全てといった様なＨＴＭＬ情報の配信も可能となることから、サービス性を向上させることができる。
【００４３】
また、情報端末装置１０１は記憶手段２０５を備え、制御手段２０２が最新のＨＴＭＬ情報の取得を行う場合、制御手段２０２は現在表示中のＨＴＭＬ情報を記憶手段２０５に保存し、ＨＴＭＬ処理手段２０４がサーバー１０８から最新のＨＴＭＬ情報の取得に失敗したとき、その失敗数をカウントし、失敗数が所定回数以上に達した場合は、制御手段２０２は記憶手段２０５から保存したＨＴＭＬ情報を読み出し、ＨＴＭＬ処理手段２０４は表示手段２０１に前回表示していたＨＴＭＬ情報を表示することを特徴とし、ＨＴＭＬ情報の取得前に記憶部へ表示中のＨＴＭＬ情報を待避させていることから、ＨＴＭＬ情報の取得に失敗した場合も使用者に全く動作しない画面を表示してしまうことがなくなり、サービスを提供し続けることが可能となる。
【００４４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００４５】
以上のように、本発明にかかる、情報システム制御方法、情報端末装置及びそのプログラムは、同じ情報更新制御を搭載している情報端末装置が複数台ネットワークに存在していても、端末または端末の集合体毎に異なるＨＴＭＬ情報を取得し、表示手段に表示させることから、例えばネットワークに参加している広告会社がマンションの様な集合住宅においてそれぞれのマンションに異なる広告表示や画面更新を行うことが可能である。また、スーパーの特売情報や子供が通学している学校からのお知らせなどもマンション毎にまたは学校区内のマンションには全てといった様なＨＴＭＬ情報の配信も可能となり、地域毎に地域に密着したサービスを提供することができる。
【図面の簡単な説明】
【００４６】
【図１】本発明の実施の形態１における情報システムの構成図
【図２】本発明の実施の形態１における情報端末装置のブロック図
【図３】本発明の実施の形態１における情報端末装置の動作を説明するためのフローチャート
【図４】従来の情報システムの構成図
【符号の説明】
【００４７】
１０１  情報端末装置
１０７  外部通信網
１０８  サーバー
２０１  表示手段
２０２  制御手段
２０３  外部通信手段
２０４  ＨＴＭＬ処理手段
２０５  記憶手段
【図１】
2006227779.tif 000003
【図２】
2006227779.tif 000004
【図３】
2006227779.tif 000005
【図４】
2006227779.tif 000006